(57)【要約】本発明の実施例は、Ｄ２Ｄ発見シーケンスの検出方法及び装置、並びにＤ２Ｄデータの受信方法及び装置を提供する。該検出方法は、Ｄ２Ｄユーザ装置が、該Ｄ２Ｄユーザ装置とＬＴＥシステムのｅＮＢとの間のアップリンクのアップリンク送信タイミングに基づいて、発見シーケンスを検出するための時間ウィンドウの開始点を決定するステップと、Ｄ２Ｄユーザ装置が、決定された時間ウィンドウの開始点で他のＤ２Ｄユーザ装置の発見シーケンスを検出するステップと、を含む。本発明の実施例の方法及び装置によれば、Ｄ２Ｄユーザ装置が他のＤ２Ｄユーザ装置の発見シーケンスを検出する複雑さを低減でき、Ｄ２Ｄユーザ装置が他のＤ２Ｄユーザ装置の発見シーケンスを検出する時間を短縮でき、Ｄ２Ｄユーザ装置が発見シーケンスの検出情報を報告するためのシグナリングを低減できる。【選択図】図１
2016509455.tif 000002
【特許請求の範囲】
【請求項１】
Ｄ２Ｄ（Ｄｅｖｉｃｅ  ｔｏ  Ｄｅｖｉｃｅ）発見シーケンスを検出する方法であって、
Ｄ２Ｄユーザ装置が、該Ｄ２Ｄユーザ装置とＬＴＥシステムの基地局（ｅＮＢ）との間のアップリンクのアップリンク送信タイミングに基づいて、発見シーケンスを検出するための時間ウィンドウの開始点を決定するステップと、
前記Ｄ２Ｄユーザ装置が、決定された時間ウィンドウの開始点で他のＤ２Ｄユーザ装置の発見シーケンスを検出するステップと、を含む、方法。
【請求項２】
前記Ｄ２Ｄユーザ装置が前記アップリンク送信タイミングを前記時間ウィンドウの開始点とし、或いは
前記Ｄ２Ｄユーザ装置が前記アップリンク送信タイミングの所定の時間オフセットを前記時間ウィンドウの開始点とする、請求項１に記載の方法。
【請求項３】
Ｄ２Ｄ発見シーケンスを検出する方法であって、
Ｄ２Ｄユーザ装置が、該Ｄ２Ｄユーザ装置とＬＴＥシステムのｅＮＢとの間のアップリンクのアップリンク送信タイミング及び受信された受信ウィンドウの構成情報に基づいて、発見シーケンスを検出するための時間ウィンドウの開始位置及び終了位置を決定するステップと、
前記Ｄ２Ｄユーザ装置が、決定された時間ウィンドウの開始位置及び終了位置で他のＤ２Ｄユーザ装置の発見シーケンスを検出するステップと、を含む、方法。
【請求項４】
前記受信ウィンドウの構成情報は、
前記アップリンク送信タイミングを前記時間ウィンドウの開始位置として、時間軸方向における後方の受信信号の全長であり、又は
前記アップリンク送信タイミングを前記時間ウィンドウの開始位置として、時間軸方向における後方の受信信号の開始点の最大オフセットである、請求項３に記載の方法。
【請求項５】
前記受信ウィンドウの構成情報は、前記ｅＮＢにより上位層シグナリングを介して構成され、或いは前記ｅＮＢにより物理層の動的シグナリングを介して構成されたものである、請求項３に記載の方法。
【請求項６】
前記受信ウィンドウの構成情報は、ＵＥ固有のもの又はクラスタ固有のものである、請求項５に記載の方法。
【請求項７】
前記Ｄ２Ｄユーザ装置が前記時間ウィンドウの外で発見シーケンスを検出した場合、前記方法は、
検出された発見シーケンスの信号強度が所定の閾値を超えたか否かを決定するステップと、
所定の閾値を超えた場合、前記検出された発見シーケンスを選択対象とし、検出された全ての発見シーケンスから所定数の信号強度の最も強い発見シーケンスを選択して、ｅＮＢ又は対応するＤ２Ｄユーザ装置に報告するステップと、をさらに含む、請求項３に記載の方法。
【請求項８】
前記Ｄ２Ｄユーザ装置が前記時間ウィンドウの外で発見シーケンスを検出した場合、前記方法は、
時間ウィンドウ内で検出された全ての発見シーケンスから所定数の信号強度の最も強い発見シーケンスを選択して、ｅＮＢ又は対応するＤ２Ｄユーザ装置に報告するステップ、をさらに含む、請求項３に記載の方法。
【請求項９】
Ｄ２Ｄユーザ装置であって、
該Ｄ２Ｄユーザ装置とＬＴＥシステムのｅＮＢとの間のアップリンクのアップリンク送信タイミングに基づいて、発見シーケンスを検出するための時間ウィンドウの開始点を決定する決定手段と、
前記決定手段により決定された時間ウィンドウの開始点で他のＤ２Ｄユーザ装置の発見シーケンスを検出する検出手段と、を含む、Ｄ２Ｄユーザ装置。
【請求項１０】
前記決定手段は前記アップリンク送信タイミングを前記時間ウィンドウの開始点とし、或いは
前記決定手段は前記アップリンク送信タイミングの所定の時間オフセットを前記時間ウィンドウの開始点とする、請求項９に記載のＤ２Ｄユーザ装置。
【請求項１１】
Ｄ２Ｄユーザ装置であって、
該Ｄ２Ｄユーザ装置とＬＴＥシステムのｅＮＢとの間のアップリンクのアップリンク送信タイミング及び受信された受信ウィンドウの構成情報に基づいて、発見シーケンスを検出するための時間ウィンドウの開始位置及び終了位置を決定する第１の決定手段と、
前記第１の決定手段により決定された時間ウィンドウの開始位置及び終了位置で他のＤ２Ｄユーザ装置の発見シーケンスを検出する検出手段と、を含む、Ｄ２Ｄユーザ装置。
【請求項１２】
前記受信ウィンドウの構成情報は、
前記アップリンク送信タイミングを前記時間ウィンドウの開始位置として、時間軸方向における後方の受信信号の全長であり、又は
前記アップリンク送信タイミングを前記時間ウィンドウの開始位置として、時間軸方向における後方の受信信号の開始点の最大オフセットである、請求項１１に記載のＤ２Ｄユーザ装置。
【請求項１３】
前記受信ウィンドウの構成情報は、前記ｅＮＢにより上位層シグナリングを介して構成され、或いは前記ｅＮＢにより物理層の動的シグナリングを介して構成されたものである、請求項１１に記載のＤ２Ｄユーザ装置。
【請求項１４】
前記受信ウィンドウの構成情報は、ＵＥ固有のもの又はクラスタ固有のものである、請求項１３に記載のＤ２Ｄユーザ装置。
【請求項１５】
前記検出手段が前記時間ウィンドウの外で発見シーケンスを検出した場合、検出された発見シーケンスの信号強度が所定の閾値を超えたか否かを決定する第２の決定手段と、
検出された発見シーケンスの信号強度が所定の閾値を超えた場合、前記検出された発見シーケンスを選択対象とし、検出された全ての発見シーケンスから所定数の信号強度の最も強い発見シーケンスを選択して、ｅＮＢ又は対応するＤ２Ｄユーザ装置に報告する第１の報告手段と、をさらに含む、請求項１１に記載のＤ２Ｄユーザ装置。
【請求項１６】
前記検出手段が前記時間ウィンドウの外で発見シーケンスを検出した場合、時間ウィンドウ内で検出された全ての発見シーケンスから所定数の信号強度の最も強い発見シーケンスを選択して、ｅＮＢ又は対応するＤ２Ｄユーザ装置に報告する第２の報告手段、をさらに含む、請求項１１に記載のＤ２Ｄユーザ装置。
【請求項１７】
Ｄ２Ｄデータを受信する方法であって、
ユーザ装置が、予め構成された受信基準時間又は所定の規則に基づいてＤ２Ｄデータの受信タイミングを決定するステップと、
前記ユーザ装置が、決定されたＤ２Ｄデータの受信タイミングに基づいてＤ２Ｄデータを受信するステップと、を含む、方法。
【請求項１８】
前記所定の規則は、
前記ユーザ装置とＬＴＥシステムのｅＮＢとの間のアップリンクのアップリンク送信タイミングを前記Ｄ２Ｄデータの受信タイミングとすること、又は
前記ユーザ装置とＬＴＥシステムのｅＮＢとのダウンリンクのダウンリンク送信タイミングを前記Ｄ２Ｄデータの受信タイミングとすることである、請求項１７に記載の方法。
【請求項１９】
前記予め構成された受信基準時間は、前記ｅＮＢ又は他のＤ２Ｄユーザ装置により上位層シグナリングを介して構成されたもの、又は前記ｅＮＢにより物理層の動的シグナリングを介して構成されたものであり、或いは
前記予め構成された受信基準時間は、前記ユーザ装置によりグループ又はクラスタ内の他のＤ２Ｄユーザ装置に対して上位層シグナリング又は物理層の動的シグナリングを介して構成されたものである、請求項１７に記載の方法。
【請求項２０】
前記予め構成された受信基準時間は、予め定義された基準時間、又は予め定義された基準時間に基づく所定の時間オフセットである、請求項１９に記載の方法。
【請求項２１】
前記予め定義された基準時間は、前記ユーザ装置と前記ｅＮＢとの間のアップリンクのアップリンク送信タイミング、又は前記ユーザ装置と前記ｅＮＢとのダウンリンクのダウンリンク受信タイミングである、請求項２０に記載の方法。
【請求項２２】
Ｄ２Ｄユーザ装置であって、
予め構成された受信基準時間又は所定の規則に基づいてＤ２Ｄデータの受信タイミングを決定する決定手段と、
前記決定手段により決定されたＤ２Ｄデータの受信タイミングに基づいてＤ２Ｄデータを受信する受信手段と、を含む、Ｄ２Ｄユーザ装置。
【請求項２３】
前記所定の規則は、
前記ユーザ装置とＬＴＥシステムのｅＮＢとの間のアップリンクのアップリンク送信タイミングを前記Ｄ２Ｄデータの受信タイミングとすること、又は
前記ユーザ装置とＬＴＥシステムのｅＮＢとのダウンリンクのダウンリンク送信タイミングを前記Ｄ２Ｄデータの受信タイミングとすることである、請求項２２に記載のＤ２Ｄユーザ装置。
【請求項２４】
前記予め構成された受信基準時間は、前記ｅＮＢ又は他のＤ２Ｄユーザ装置により上位層シグナリングを介して構成されたもの、又は前記ｅＮＢにより物理層の動的シグナリングを介して構成されたものであり、或いは
前記予め構成された受信基準時間は、前記ユーザ装置によりグループ又はクラスタ内の他のＤ２Ｄユーザ装置に対して上位層シグナリング又は物理層の動的シグナリングを介して構成されたものである、請求項２２に記載のＤ２Ｄユーザ装置。
【請求項２５】
前記予め構成された受信基準時間は、予め定義された基準時間、又は予め定義された基準時間に基づく所定の時間オフセットである、請求項２４に記載のＤ２Ｄユーザ装置。
【請求項２６】
前記予め定義された基準時間は、前記ユーザ装置と前記ｅＮＢとの間のアップリンクのアップリンク送信タイミング、又は前記ユーザ装置と前記ｅＮＢとのダウンリンクのダウンリンク受信タイミングである、請求項２５に記載のＤ２Ｄユーザ装置。
【請求項２７】
Ｄ２Ｄ発見シーケンスの受信ウィンドウを構成する方法であって、
ＬＴＥシステムにおけるｅＮＢが、ユーザ装置が受信ウィンドウの構成情報及び該ユーザ装置と前記ｅＮＢとの間のアップリンクのアップリンク送信タイミングに基づいて発見シーケンスを検出するための時間ウィンドウの開始位置及び終了位置を決定するように、上位層シグナリング又は物理層の動的シグナリングを介して、そのカバー範囲内のＤ２Ｄ通信を行う前記ユーザ装置のために前記受信ウィンドウを構成するステップ、を含む、方法。
【請求項２８】
前記受信ウィンドウの構成情報は、ＵＥ固有のもの又はクラスタ固有のものである、請求項２７に記載の方法。
【請求項２９】
ＬＴＥシステムにおけるｅＮＢであって、
ユーザ装置が受信ウィンドウの構成情報及び該ユーザ装置と前記ｅＮＢとの間のアップリンクのアップリンク送信タイミングに基づいて発見シーケンスを検出するための時間ウィンドウの開始位置及び終了位置を決定するように、上位層シグナリング又は物理層の動的シグナリングを介して、前記ｅＮＢのカバー範囲内のＤ２Ｄ通信を行う前記ユーザ装置のために前記受信ウィンドウを構成する構成手段、を含む、ｅＮＢ。
【請求項３０】
前記受信ウィンドウの構成情報は、ＵＥ固有のもの又はクラスタ固有のものである、請求項２９に記載のｅＮＢ。
【請求項３１】
Ｄ２Ｄデータの受信基準時間を構成する方法であって、
ＬＴＥシステムにおけるｅＮＢが、ユーザ装置が受信基準時間の構成情報に基づいてＤ２Ｄ通信データを受信するための受信時間を決定するように、上位層シグナリング又は物理層の動的シグナリングを介してそのカバー範囲内のＤ２Ｄ通信を行う前記ユーザ装置のために前記受信基準時間を構成するステップ、を含む、方法。
【請求項３２】
前記受信基準時間の構成情報は、予め定義された基準時間、又は予め定義された基準時間に基づく所定の時間オフセットである、請求項３１に記載の方法。
【請求項３３】
前記予め定義された基準時間は、前記ユーザ装置と前記ｅＮＢとの間のアップリンクのアップリンク送信タイミング、又は前記ユーザ装置と前記ｅＮＢとのダウンリンクのダウンリンク受信タイミングである、請求項３２に記載の方法。
【請求項３４】
ＬＴＥシステムにおけるｅＮＢであって、
ユーザ装置が受信基準時間の構成情報に基づいてＤ２Ｄ通信データを受信するための受信時間を決定するように、上位層シグナリング又は物理層の動的シグナリングを介して前記ｅＮＢのカバー範囲内のＤ２Ｄ通信を行う前記ユーザ装置のために前記受信基準時間を構成する構成手段、を含む、ｅＮＢ。
【請求項３５】
前記受信基準時間の構成情報は、予め定義された基準時間、又は予め定義された基準時間に基づく所定の時間オフセットである、請求項３４に記載のｅＮＢ。
【請求項３６】
前記予め定義された基準時間は、前記ユーザ装置と前記ｅＮＢとの間のアップリンクのアップリンク送信タイミング、又は前記ユーザ装置と前記ｅＮＢとのダウンリンクのダウンリンク受信タイミングである、請求項３５に記載のｅＮＢ。
【請求項３７】
少なくとも１つの請求項９〜１６、２２〜２６のいずれかに記載のユーザ装置を含み、或いは少なくとも１つの請求項９〜１６、２２〜２６のいずれかに記載のユーザ装置及び少なくとも１つの請求項２９〜３０、３４〜３６のいずれかに記載のｅＮＢを含む、通信システム。
【請求項３８】
端末装置においてプログラムを実行する際に、コンピュータに、請求項１〜８のいずれかに記載のＤ２Ｄ発見シーケンスの検出方法又は請求項１７〜２１のいずれかに記載のＤ２Ｄデータの受信方法を前記端末装置において実行させる、コンピュータ読み取り可能なプログラム。
【請求項３９】
コンピュータに、請求項１〜８のいずれかに記載のＤ２Ｄ発見シーケンスの検出方法又は請求項１７〜２１のいずれかに記載のＤ２Ｄデータの受信方法を端末装置において実行させるためのコンピュータ読み取り可能なプログラムを記憶する、記憶媒体。
【請求項４０】
基地局においてプログラムを実行する際に、コンピュータに、請求項２７〜２８のいずれかに記載のＤ２Ｄ発見シーケンスの受信ウィンドウの構成方法又は請求項３１〜３３のいずれかに記載のＤ２Ｄデータの受信基準時間の構成方法を前記基地局において実行させる、コンピュータ読み取り可能なプログラム。
【請求項４１】
コンピュータに、請求項２７〜２８のいずれかに記載のＤ２Ｄ発見シーケンスの受信ウィンドウの構成方法又は請求項３１〜３３のいずれかに記載のＤ２Ｄデータの受信基準時間の構成方法を基地局において実行させるためのコンピュータ読み取り可能なプログラムを記憶する、記憶媒体。
【発明の詳細な説明】
【技術分野】
【０００１】
本発明は、無線通信分野に関し、特に無線通信システムに装置から装置（Device-to-Device、D2D）のユーザ（UE、User  Equipment）が存在する場合のＤ２Ｄ発見シーケンスの検出方法及び装置、並びにＤ２Ｄデータの受信方法及び装置に関する。
【背景技術】
【０００２】
現在のセルラーネットワークシステムでは、ＵＥ間の通信は、中央制御装置である基地局、例えば進化したＮｏｄｅ  Ｂ（ｅＮＢ）を介して行われる必要がある。通信を行うＵＥ間の距離が遠くても非常に近くても、セルにおける干渉制御及びリソース管理はｅＮＢにより処理される。このようなｅＮＢによる集中制御は、干渉制御及び無線リソース制御を全体的に最適化できるというメリットがあるが、あるシナリオではリソースを効果的に利用できないというデメリットがある。例えば、２つの近接するＵＥ間の直接通信に比べて、このようなｅＮＢを介するＵＥ通信方法は、２倍のリソースを消費する必要がある。また、ホットスポット領域では、サービス・ペイロードが非常に大きいため、ｅＮＢの過酷な負荷をもたらしてしまう。この場合は、地理的位置の近接するＵＥ間の直接通信を容認できれば、ｅＮＢの負荷を緩和できる。従って、装置から装置（Ｄｅｖｉｃｅ−ｔｏ−Ｄｅｖｉｃｅ  Ｄ２Ｄ、Ｄ２Ｄ）の概念が現れ、Ｄ２Ｄは距離の近いＵＥ間の直接通信を意味する。
【０００３】
現在、３ＧＰＰ（Third  Generation  Partnership  Project、第３世代パートナーシップ・プロジェクト）では、既にＬＴＥ（Long  Term  Evolution、ロングタームエボリューション）システムにＤ２Ｄに関する技術の研究を開始した。Ｄ２Ｄの応用シナリオは、２つに分けられている。１つは、ソーシャルネットワーク、例えば地理的位置の近接するビジネス／ソーシャルサービス、広告及びゲームであり、もう１つは、公共の安全である。ソーシャルネットワークのＤ２Ｄ研究では、現在、ネットワークがカバーする範囲内のＤ２Ｄに限定され、即ちＤ２Ｄの発見（Discovery）及び通信はｅＮＢの補助に部分的に依存する場合がある。公共安全のＤ２Ｄ研究では、一般的には、ＵＥそのものが非常に過酷な環境に位置し、或いはネットワークの基礎的な設備が壊れ、ＵＥがネットワークのカバー範囲外にあるため、この場合には、ネットワークのカバー範囲内に位置する他のＵＥを中継ノードとして利用して、ネットワークのカバー範囲外のＵＥと直接のＤ２Ｄ発見及びＤ２Ｄ通信を行い、或いはネットワークが壊れる前に予め構成された無線リソースを利用して、直接のＤ２Ｄ発見及びＤ２Ｄ通信を行う必要がある。
【０００４】
Ｄ２Ｄ通信は通常地理的に近接するＵＥ間で行われ、ＵＥは他のＵＥを発見する能力を有し、他のＵＥにより発見されることができる。どのタイプのＤ２Ｄ応用シナリオでも、Ｄ２Ｄ通信の前提条件は、ＵＥがその周辺のＤ２Ｄ通信を行うことが可能なＵＥを発見できることである。現在の研究では、Ｄ２Ｄ通信の発見シーケンス（discovery  sequence）の設計は研究テーマとして注目されているが、Ｄ２Ｄユーザが発見シーケンスを受信する時のクロックの問題についてほとんど研究されていない。
【０００５】
本発明の発明者の発見によれば、ＬＴＥシステムにおけるダウンリンクタイミングと異なって、Ｄ２Ｄユーザは発見シーケンスを受信する時に複数のＤ２Ｄユーザの発見シーケンスを同時に検出する必要があるが、普通のユーザはｅＮＢのダウンリンク同期信号を検出する時に最も強いダウンリンク同期信号のみを選別して、それとダウンリンク同期を確立すればよい。同様に、ＬＴＥシステムにおけるアップリンクタイミングと異なって、Ｄ２ＤユーザはＤ２Ｄ発見シーケンスを送信する時に、通常対応するＤ２Ｄユーザと「ダウンリンク同期」を確立していないため、「ダウンリンクタイミング」に基づいて対応するＤ２Ｄ発見シーケンスの送信時間を決定できず、Ｄ２Ｄ発見シーケンスを受信するＤ２Ｄユーザも自分の「ダウンリンク送信時間」に基づいて合理的な受信時間ウィンドウを決定できない。従って、発見シーケンスを正確、且つ効率的に復調するように、Ｄ２Ｄ通信のユーザのために、新たな送信タイミング、受信タイミングのメカニズムを設計する必要がある。
【０００６】
一方、Ｄ２Ｄユーザとの接続が確立されると、Ｄ２Ｄユーザ間でデータを正常に送受信するため、対応する送受信タイミングのメカニズムが必要である。Ｄ２Ｄユーザ間通信のチャネルのロバスト性及びＤ２Ｄユーザ通信の複雑さを考慮すると、Ｄ２Ｄユーザ間のタイミング精度がＬＴＥシステムのユーザアップリンクタイミングの精度よりも若干低くてもよいため、この点においても、中程度の複雑さを有する送受信タイミングのメカニズムを研究する必要がある。
【０００７】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００８】
本発明の実施例は、Ｄ２Ｄ機能を有するユーザ（Ｄ２Ｄユーザ又はＤ２Ｄユーザ装置と略称される）が他のユーザのＤ２Ｄ発見シーケンスを監視する時に、発見シーケンスをより正確、効率的、且つ正しく検出でき、他のＤ２Ｄユーザ装置により送信されたデータを受信する時に、より高い時間精度でデータを復調できるＤ２Ｄ発見シーケンスの検出方法、Ｄ２Ｄデータの受信方法、及び装置を提供することを目的とする。
【課題を解決するための手段】
【０００９】
本発明の実施例の第１の態様では、Ｄ２Ｄ（Ｄｅｖｉｃｅ  ｔｏ  Ｄｅｖｉｃｅ）発見シーケンスを検出する方法であって、Ｄ２Ｄユーザ装置が、該Ｄ２Ｄユーザ装置とＬＴＥシステムの基地局（ｅＮＢ）との間のアップリンクのアップリンク送信タイミングに基づいて、発見シーケンスを検出するための時間ウィンドウの開始点を決定するステップと、前記Ｄ２Ｄユーザ装置が、決定された時間ウィンドウの開始点で他のＤ２Ｄユーザ装置の発見シーケンスを検出するステップと、を含む、方法を提供する。
【００１０】
本発明の実施例の第２の態様では、Ｄ２Ｄ発見シーケンスを検出する方法であって、Ｄ２Ｄユーザ装置が、該Ｄ２Ｄユーザ装置とＬＴＥシステムのｅＮＢとの間のアップリンクのアップリンク送信タイミング及び受信された受信ウィンドウの構成情報に基づいて、発見シーケンスを検出するための時間ウィンドウの開始位置及び終了位置を決定するステップと、前記Ｄ２Ｄユーザ装置が、決定された時間ウィンドウの開始位置及び終了位置で他のＤ２Ｄユーザ装置の発見シーケンスを検出するステップと、を含む、方法を提供する。
【００１１】
本発明の実施例の第３の態様では、Ｄ２Ｄユーザ装置であって、該Ｄ２Ｄユーザ装置とＬＴＥシステムのｅＮＢとの間のアップリンクのアップリンク送信タイミングに基づいて、発見シーケンスを検出するための時間ウィンドウの開始点を決定する決定手段と、前記決定手段により決定された時間ウィンドウの開始点で他のＤ２Ｄユーザ装置の発見シーケンスを検出する検出手段と、を含む、Ｄ２Ｄユーザ装置を提供する。
【００１２】
本発明の実施例の第４の態様では、Ｄ２Ｄユーザ装置であって、該Ｄ２Ｄユーザ装置とＬＴＥシステムのｅＮＢとの間のアップリンクのアップリンク送信タイミング及び受信された受信ウィンドウの構成情報に基づいて、発見シーケンスを検出するための時間ウィンドウの開始位置及び終了位置を決定する第１の決定手段と、前記第１の決定手段により決定された時間ウィンドウの開始位置及び終了位置で他のＤ２Ｄユーザ装置の発見シーケンスを検出する検出手段と、を含む、Ｄ２Ｄユーザ装置を提供する。
【００１３】
本発明の実施例の第５の態様では、Ｄ２Ｄデータを受信する方法であって、ユーザ装置が、予め構成された受信基準時間又は所定の規則に基づいてＤ２Ｄデータの受信タイミングを決定するステップと、前記ユーザ装置が、決定されたＤ２Ｄデータの受信タイミングに基づいてＤ２Ｄデータを受信するステップと、を含む、方法を提供する。
【００１４】
本発明の実施例の第６の態様では、Ｄ２Ｄユーザ装置であって、予め構成された受信基準時間又は所定の規則に基づいてＤ２Ｄデータの受信タイミングを決定する決定手段と、前記決定手段により決定されたＤ２Ｄデータの受信タイミングに基づいてＤ２Ｄデータを受信する受信手段と、を含む、Ｄ２Ｄユーザ装置を提供する。
【００１５】
本発明の実施例の第７の態様では、Ｄ２Ｄ発見シーケンスの受信ウィンドウを構成する方法であって、ＬＴＥシステムにおけるｅＮＢが、ユーザ装置が受信ウィンドウの構成情報及び該ユーザ装置と前記ｅＮＢとの間のアップリンクのアップリンク送信タイミングに基づいて発見シーケンスを検出するための時間ウィンドウの開始位置及び終了位置を決定するように、上位層シグナリング又は物理層の動的シグナリングを介して、そのカバー範囲内のＤ２Ｄ通信を行う前記ユーザ装置のために前記受信ウィンドウを構成するステップ、を含む、方法を提供する。
【００１６】
本発明の実施例の第８の態様では、ＬＴＥシステムにおけるｅＮＢであって、ユーザ装置が受信ウィンドウの構成情報及び該ユーザ装置と前記ｅＮＢとの間のアップリンクのアップリンク送信タイミングに基づいて発見シーケンスを検出するための時間ウィンドウの開始位置及び終了位置を決定するように、上位層シグナリング又は物理層の動的シグナリングを介して、前記ｅＮＢのカバー範囲内のＤ２Ｄ通信を行う前記ユーザ装置のために前記受信ウィンドウを構成する構成手段、を含む、ｅＮＢを提供する。
【００１７】
本発明の実施例の第９の態様では、Ｄ２Ｄデータの受信基準時間を構成する方法であって、ＬＴＥシステムにおけるｅＮＢが、ユーザ装置が受信基準時間の構成情報に基づいてＤ２Ｄ通信データを受信するための受信時間を決定するように、上位層シグナリング又は物理層の動的シグナリングを介してそのカバー範囲内のＤ２Ｄ通信を行う前記ユーザ装置のために前記受信基準時間を構成するステップ、を含む、方法を提供する。
【００１８】
本発明の実施例の第１０の態様では、ＬＴＥシステムにおけるｅＮＢであって、ユーザ装置が受信基準時間の構成情報に基づいてＤ２Ｄ通信データを受信するための受信時間を決定するように、上位層シグナリング又は物理層の動的シグナリングを介して前記ｅＮＢのカバー範囲内のＤ２Ｄ通信を行う前記ユーザ装置のために前記受信基準時間を構成する構成手段、を含む、ｅＮＢを提供する。
【００１９】
本発明の実施例の第１１の態様では、少なくとも１つの第３の態様、第４の態様及び第６の態様のいずれかに記載のユーザ装置を含み、或いは少なくとも１つの第３の態様、第４の態様及び第６の態様のいずれかに記載のユーザ装置及び少なくとも１つの第８の態様及び第１０の態様のいずれかに記載のｅＮＢを含む、通信システムを提供する。
【００２０】
本発明の実施例の他の態様では、端末装置においてプログラムを実行する際に、コンピュータに、第１の態様及び第２の態様のいずれかに記載のＤ２Ｄ発見シーケンスの検出方法又は第５の態様に記載のＤ２Ｄデータの受信方法を前記端末装置において実行させる、コンピュータ読み取り可能なプログラムを提供する。
【００２１】
本発明の実施例の他の態様では、コンピュータに、第１の態様及び第２の態様のいずれかに記載のＤ２Ｄ発見シーケンスの検出方法又は第５の態様に記載のＤ２Ｄデータの受信方法を端末装置において実行させるためのコンピュータ読み取り可能なプログラムを記憶する、記憶媒体を提供する。
【００２２】
本発明の実施例の他の態様では、基地局においてプログラムを実行する際に、コンピュータに、第７の態様に記載のＤ２Ｄ発見シーケンスの受信ウィンドウの構成方法又は第９の態様に記載のＤ２Ｄデータの受信基準時間の構成方法を前記基地局において実行させる、コンピュータ読み取り可能なプログラムを提供する。
【００２３】
本発明の実施例の他の態様では、コンピュータに、第７の態様に記載のＤ２Ｄ発見シーケンスの受信ウィンドウの構成方法又は第９の態様に記載のＤ２Ｄデータの受信基準時間の構成方法を基地局において実行させるためのコンピュータ読み取り可能なプログラムを記憶する、記憶媒体を提供する。
【００２４】
本発明の実施例の有益な効果としては、本発明の実施例に係る方法及び装置によれば、ユーザ装置が他のユーザ装置の発見シーケンスを検出する複雑さを低減でき、ユーザ装置が他のユーザ装置の発見シーケンスを検出する時間を短縮でき、ユーザ装置が発見シーケンスの検出情報を報告するためのシグナリングを低減できる。
【００２５】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２６】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２７】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２８】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例１のＤ２Ｄ発見シーケンスの検出方法のフローチャートである。
【図２】本発明の実施例２のＤ２Ｄ発見シーケンスの検出方法のフローチャートである。
【図３】本発明の実施例３のＤ２Ｄ発見シーケンスの受信ウィンドウの構成方法のフローチャートである。
【図４】ＵＥが構成された受信ウィンドウに基づいてＤ２Ｄ発見シーケンスを検出することを示す図である
【図５】サイクリックシフトされた発見シーケンスに基づく検出アルゴリズムを示す図である。
【図６】本発明の実施例４のＤ２Ｄユーザ装置の構成を示す図である。
【図７】本発明の実施例５のＤ２Ｄユーザ装置の構成を示す図である。
【図８】本発明の実施例６のｅＮＢの構成を示す図である。
【図９】本発明の実施例７のＤ２Ｄデータの受信方法のフローチャートである。
【図１０】本発明の実施例８のＤ２Ｄデータの受信基準時間の構成方法のフローチャートである。
【図１１】図１１ａ〜図１１ｂは、ｅＮＢがセル中心に位置するＵＥのために受信基準時間を構成することを示す図である。
【図１２】図１２ａ〜図１２ｃは、ｅＮＢがセルのエッジ部に位置するＵＥのために受信基準時間を構成することを示す図である。
【図１３】本発明の実施例９のＤ２Ｄユーザ装置の構成を示す図である。
【図１４】本発明の実施例１０のｅＮＢの構成を示す図である。
【発明を実施するための形態】
【００２９】
図面を参照しながら、本発明の実施例の上記及び他の特徴を説明する。これらの実施形態は単なる例示的なものであり、本発明を限定するものではない。なお、当業者に本発明の原理及び実施形態を容易に理解させるため、本発明の実施形態では、ＬＴＥシステムを一例として、本発明の実施例に係るＤ２Ｄ発見シーケンスの検出方法及びＤ２Ｄデータの受信方法、並びに装置を説明するが、本発明の実施例は該システムに限定されず、Ｄ２Ｄ通信の他のシステムにも適用してもよい。
【００３０】
＜実施例１＞
本発明の実施例は、Ｄ２Ｄ発見シーケンスの検出方法を提供する。図１は該方法のフローチャートである。図１に示すように、該方法は以下のステップを含む。
【００３１】
ステップ１０１：Ｄ２Ｄユーザ装置は、該Ｄ２Ｄユーザ装置とＬＴＥシステムの基地局（ｅＮＢ）との間のアップリンクのアップリンク送信タイミングに基づいて、発見シーケンスを検出するための時間ウィンドウの開始点を決定する。
【００３２】
ここで、Ｄ２Ｄユーザ装置は、該Ｄ２Ｄユーザ装置とＬＴＥシステムのｅＮＢとの間のアップリンクのアップリンク送信タイミングを、発見シーケンスを検出するための時間ウィンドウの開始点としてもよいし、該Ｄ２Ｄユーザ装置とＬＴＥシステムのｅＮＢとの間のアップリンクのアップリンク送信タイミングの所定の時間オフセットを、発見シーケンスを検出するための時間ウィンドウの開始点としてもよい。
【００３３】
ステップ１０２：Ｄ２Ｄユーザ装置は、決定された時間ウィンドウの開始点で他のＤ２Ｄユーザ装置の発見シーケンスを検出する。
【００３４】
本実施例では、Ｄ２Ｄユーザ装置とＬＴＥシステムのｅＮＢとの間のアップリンクのアップリンク送信タイミングを、該Ｄ２Ｄユーザ装置が他のＤ２Ｄユーザ装置の発見シーケンスを検出するための時間ウィンドウの開始点とし、或いは、該Ｄ２Ｄユーザ装置とＬＴＥシステムのｅＮＢとの間のアップリンクのアップリンク送信タイミングを基準として、所定の時間オフセットの時間を、該Ｄ２Ｄユーザ装置が他のＤ２Ｄユーザ装置の発見シーケンスを検出するための時間ウィンドウの開始点とする。該Ｄ２Ｄユーザ装置は、他のＤ２Ｄユーザ装置の発見シーケンスを検出する時に、決定された時間ウィンドウの開始点で、他のＤ２Ｄユーザ装置の発見シーケンスを検出してもよい。
【００３５】
ここで、上記の所定の時間オフセットは、各Ｄ２Ｄユーザ装置が自分と基地局との距離に基づいて予め設定したものであってもよいし、基地局が該基地局と該Ｄ２Ｄユーザ装置との距離に基づいてシグナリングを介して予め構成し、或いは動的に構成したものであってもよいし、各Ｄ２Ｄユーザ装置がアップリンクタイミングの誤差を考慮して予め設定したものであってもよいが、本実施例はこれらに限定されない。
【００３６】
本実施例の方法は、Ｄ２Ｄ発見シーケンスを検出するための時間ウィンドウを定義することで、ユーザ装置が他のユーザ装置の発見シーケンスを検出する複雑さを低減でき、ユーザ装置が他のユーザ装置の発見シーケンスを検出する時間を短縮できる。
【００３７】
＜実施例２＞
本発明の実施例はＤ２Ｄ発見シーケンスの検出方法を提供する。図２は、該方法のフローチャートである。図２に示すように、該方法は以下のステップを含む。
【００３８】
ステップ２０１：Ｄ２Ｄユーザ装置は、該Ｄ２Ｄユーザ装置とＬＴＥシステムのｅＮＢとの間のアップリンクのアップリンク送信タイミング及び受信された受信ウィンドウの構成情報に基づいて、発見シーケンスを検出するための時間ウィンドウの開始位置及び終了位置を決定する。
【００３９】
ステップ２０２：該Ｄ２Ｄユーザ装置は、決定された時間ウィンドウの開始位置及び終了位置で他のＤ２Ｄユーザ装置の発見シーケンスを検出する。
【００４０】
本実施例では、ｅＮＢはＤ２Ｄユーザ装置のために受信ウィンドウを構成し、Ｄ２Ｄユーザ装置は、該Ｄ２Ｄユーザ装置とＬＴＥシステムのｅＮＢとの間のアップリンクのアップリンク送信タイミング、及びｅＮＢにより構成された該受信ウィンドウに基づいて、他のＤ２Ｄユーザ装置の発見シーケンスを検出する。
【００４１】
１つの態様では、該受信ウィンドウの構成情報は、該アップリンク送信タイミングを該時間ウィンドウの開始位置として、時間軸方向における後方の受信信号の全長、即ち検出信号の全長であってもよい。
【００４２】
他の態様では、該受信ウィンドウの構成情報は、該アップリンク送信タイミングを該時間ウィンドウの開始位置として、時間軸方向における後方の受信信号の開始点の最大オフセット、即ち検出信号の開始点の受信ウィンドウの開始点に対する最大オフセットであってもよい。
【００４３】
本実施例では、該受信ウィンドウの構成情報は、ｅＮＢにより上位層シグナリングを介して構成されてもよいし、ｅＮＢにより物理層の動的シグナリングを介して構成されてもよいが、本実施例はこれに限定されない。また、該受信ウィンドウの構成情報をキャリーするためのシグナリングは、ＵＥ固有のものであり、即ち各ユーザ装置が１つの受信ウィンドウの構成情報に対応してもよいし、クラスタ固有のものであり、即ち各クラスタのユーザ装置が１つの受信ウィンドウの構成情報に対応してもよい。
【００４４】
本実施例では、該Ｄ２Ｄユーザ装置が決定された時間ウィンドウ外で発見シーケンスを検出した場合、１つの態様では、該Ｄ２Ｄユーザ装置は、時間ウィンドウ外で検出された発見シーケンスの信号強度が所定の閾値を超えたか否かを決定し、該所定の閾値を超えた場合、時間ウィンドウ外で検出された発見シーケンスを選択対象とし、検出された全ての発見シーケンス（時間ウィンドウ内で検出された発見シーケンス、及び該時間ウィンドウ外で検出され、且つ信号強度が所定の閾値を超えた発見シーケンスを含む）から、所定数（１つ又は複数）の信号強度の最も強い発見シーケンスを選択して、ｅＮＢ又は対応するＤ２Ｄユーザ装置に報告する。もう１つの態様では、該Ｄ２Ｄユーザ装置が時間ウィンドウの外で発見シーケンスを検出した場合であっても、該シーケンスを選択対象とせず、即ち該シーケンスに関連する情報を報告せずに、時間ウィンドウ内で検出された全ての発見シーケンスから所定数の信号強度の最も強い発見シーケンスを選択して、ｅＮＢ又は対応するＤ２Ｄユーザ装置に報告し、これによって、不要な情報の報告オーバーヘッドを節約できる。
【００４５】
本実施例の方法は、Ｄ２Ｄ発見シーケンスを検出するための時間ウィンドウを定義することで、ユーザ装置が他のユーザ装置の発見シーケンスを検出する複雑さを低減でき、ユーザ装置が他のユーザ装置の発見シーケンスを検出する時間を短縮でき、ユーザ装置が発見シーケンスの検出情報を報告するためのシグナリングを低減できる。
【００４６】
＜実施例３＞
本発明の実施例は、Ｄ２Ｄ通信における受信ウィンドウの構成方法を提供する。図３は該方法のフローチャートである。図３に示すように、該方法は以下のステップを含む。
【００４７】
ステップ３０１：ＬＴＥシステムにおけるｅＮＢは、ユーザ装置が受信ウィンドウの構成情報及び該ユーザ装置と前記ｅＮＢとの間のアップリンクのアップリンク送信タイミングに基づいて発見シーケンスを検出するための時間ウィンドウの開始位置及び終了位置を決定するように、上位層シグナリング又は物理層の動的シグナリングを介して、そのカバー範囲内のＤ２Ｄ通信を行う該ユーザ装置のために該受信ウィンドウを構成する。
【００４８】
本実施例では、該受信ウィンドウの構成情報は、ＵＥ固有のものであり、即ち該ｅＮＢが各ユーザ装置のために１つの受信ウィンドウを構成し、各ユーザの受信ウィンドウが同一であってもよいし、異なってもよい。或いは、該受信ウィンドウの構成情報は、クラスタ固有のものであり、即ち該ｅＮＢが各クラスタのユーザのために１つの受信ウィンドウを構成し、各クラスタのユーザの受信ウィンドウが全て同一であってもよし、異なるクラスタのユーザの受信ウィンドウが同一であってもよいし、異なってもよい。
【００４９】
本実施例では、該受信ウィンドウの構成情報は、ユーザ装置とｅＮＢとの間のアップリンクのアップリンク送信タイミングを時間ウィンドウの開始位置として、時間軸方向における後方の受信信号の全長であってもよいし、ユーザ装置とｅＮＢとの間のアップリンクのアップリンク送信タイミングを時間ウィンドウの開始位置として、時間軸方向における後方の受信信号の開始点の最大オフセットであってもよい。
【００５０】
本実施例では、該ｅＮＢは、上記上位層シグナリング又は物理層の動的シグナリングを介して、該ユーザ装置のために、受信ウィンドウ外で検出された発見シーケンスを選択対象とするか否かを決定するための閾値を構成してもよい。
【００５１】
本実施例の方法は、Ｄ２Ｄ通信のユーザ装置のために受信ウィンドウを構成し、該ユーザ装置が構成された受信ウィンドウ及び該ユーザ装置とＬＴＥシステムのｅＮＢとの間のアップリンクのアップリンク送信タイミングに基づいて、Ｄ２Ｄ発見シーケンスを検出するための時間ウィンドウを決定し、決定された時間ウィンドウで発見シーケンスを検出することで、ユーザ装置が他のユーザ装置の発見シーケンスを検出する複雑さを低減でき、ユーザ装置が他のユーザ装置の発見シーケンスを検出する時間を短縮でき、ユーザ装置が発見シーケンスの検出情報を報告するためのシグナリングを低減できる。
【００５２】
実施例２及び実施例３の方法をより明確にするため、以下は、具体的な例を参照しながら実施例２及び実施例３の方法を説明する。
【００５３】
＜例１＞
この例では、ｅＮＢが上位層シグナリングを介してユーザ装置のために受信ウィンドウを構成する例が示される。
【００５４】
ユーザ装置は、ＬＴＥシステムにおいて、ｅＮＢに接続しています。該ユーザ装置でＤ２Ｄ通信の要求が現れる場合（該要求は、該ユーザ装置により開始されてもよいし、他のユーザにより開始されてもよい）、該ｅＮＢは、該ユーザ装置と協力してＤ２Ｄ接続を確立し、即ち、発見シーケンスの送信又は受信を行う。
【００５５】
ここで、該ｅＮＢは、上位層シグナリングを介して、該ユーザ装置がＤ２Ｄ発見シーケンスを送受信するためのリソース、及び／又はユーザ装置がＤ２Ｄ通信を行うための他の必要な情報を構成してもよい。本実施例では、該ｅＮＢは、該ユーザ装置のために、発見シーケンスを検出する時の受信ウィンドウの関連情報を構成する。例えば、該受信ウィンドウの長さは、サンプリング点又は所定のステップ長さを単位としてもよいし、所定のいくつかのウィンドウの長さであってもよい。
【００５６】
ここで、該ｅＮＢは、単一の上位層シグナリングを介して、該ユーザ装置のために、発見シーケンスを検出する時の受信ウィンドウの関連情報を構成してもよい。
【００５７】
該ｅＮＢは、ユーザ装置が検出閾値に基づいて時間ウィンドウ外で検出された発見シーケンスを選択対象とするか否かを決定するように、該上位層シグナリングを介して、受信ウィンドウの関連情報を構成すると共に、対応する検出閾値を構成してもよい。
【００５８】
＜例２＞
ｅＮＢが物理層の動的シグナリングを介してユーザ装置のために受信ウィンドウを構成する例が示される。
【００５９】
ユーザ装置は、ＬＴＥシステムにおいて、ｅＮＢに接続しています。該ユーザ装置でＤ２Ｄ通信の要求が現れる場合（該要求は、該ユーザ装置により開始されてもよいし、他のユーザにより開始されてもよい）、該ｅＮＢは、該ユーザ装置と協力してＤ２Ｄ接続を確立し、即ち、発見シーケンスの送信又は受信を行う。
【００６０】
ここで、該ｅＮＢは、ＰＤＣＣＨ／ｅＰＤＣＣＨを介して、ユーザ装置のために構成された、発見シーケンスを検出するための受信ウィンドウの関連情報をキャリーしてもよい。例えば、該受信ウィンドウの長さは、サンプリング点又は所定のステップ長さを単位としてもよいし、所定のいくつかのウィンドウの長さであってもよい。好ましくは、４つの異なるウィンドウの長さを予め設定し、２ビットで動的に指示してもよい。
【００６１】
ここで、該ｅＮＢは、ユーザ装置が検出閾値に基づいて時間ウィンドウ外で検出された発見シーケンスを選択対象とするか否かを決定するように、上記のＰＤＣＣＨ／ｅＰＤＣＣＨを介して受信ウィンドウの関連情報を構成すると共に、該ＰＤＣＣＨ／ｅＰＤＣＣＨを介して対応する検出閾値を構成してもよい。
【００６２】
ここで、該ｅＮＢがＰＤＣＣＨ／ｅＰＤＣＣＨにおけるリソースで他のＤ２Ｄの確立に必要な情報をキャリーする場合、該ｅＮＢは、同一のＰＤＣＣＨ／ｅＰＤＣＣＨにおけるリソースで上記の受信ウィンドウの構成情報をキャリーしてもよい。
【００６３】
＜例３＞
この例では、ユーザ装置が構成された受信ウィンドウの関連情報に基づいてＤ２Ｄ発見シーケンスを検出する例が示されている。該ユーザ装置は、ｅＮＢにより構成された受信ウィンドウの関連情報を受信した後で、Ｄ２Ｄ発見シーケンスを検出する場合、該ユーザ装置とＬＴＥシステムのｅＮＢとの間のアップリンクのアップリンク送信タイミング及び構成された受信ウィンドウに基づいて、発見シーケンスを検出するための時間ウィンドウの開始点及び終了点を決定する。
【００６４】
図４に示すように、発見シーケンス４１及び発見シーケンス４２の信号が受信ウィンドウ内に位置し、ユーザ装置は、構成された受信ウィンドウ内で信号のマッチングを行って、関連するピーク値を取得して、発見シーケンスを復調してもよい。発見シーケンス４３の信号が受信ウィンドウ外に位置し、本実施例の１つの態様では、ユーザ装置は受信ウィンドウ外の信号を検出しない。
【００６５】
本実施例の他の態様では、異なるＤ２Ｄ発見シーケンスが異なるサイクリックシフトにより区分される場合、ユーザ装置は、同一のタイミングで、１つのだけの関連プロセスで、複数のＤ２Ｄ発見シーケンスの関連値を取得できる。この場合は、ユーザ装置は、構成された受信ウィンドウ内の関連値のみを抽出する。図５に示すように、異なるＤ２Ｄ発見シーケンスは、１つのＦＦＴウィンドウ長内に位置し、異なる時間軸の位置で関連のピーク値が現れる。各シーケンスの関連ピーク値は、そのサイクリックシフトに対応する時間軸の範囲内に位置する。構成された受信ウィンドウの開始点は各時間軸範囲の開始位置であり、終了点は構成された受信ウィンドウの長さである。図５に示すように、Ｄ２Ｄ発見シーケンス５１及びＤ２Ｄ発見シーケンス５３の関連ピーク値は受信ウィンドウ内に位置するが、Ｄ２Ｄ発見シーケンス５２の関連ピーク値は受信ウィンドウ外に位置する。１つの態様では、ユーザ装置は、該発見シーケンスを検出できるが、ユーザ装置は該発見シーケンスを選択せず、該発見シーケンスの関連情報を報告しない。もう１つの態様では、ユーザ装置は、受信ウィンドウ外の発見シーケンスの関連値の閾値（例えば信号強度の閾値）を設定し、受信ウィンドウ外の発見シーケンスの関連値が該閾値を超えた場合のみ、該発見シーケンスを並び替え、関連情報を選択し、或いは報告してもよい。なお、以上は例示的な説明であり、本発明の実施例はこれに限定されず、同様に、他の発見シーケンス、例えばＭシーケンス又はＧｏｌｄシーケンスを採用してもよいし、高速アルゴリズム、例えばＦＦＴアルゴリズムを採用してもよいが、ここでその説明が省略される。
【００６６】
例１乃至例３の説明から分かるように、実施例３及び実施例３の方法によれば、ｅＮＢが発見シーケンスを検出するための受信ウィンドウを構成し、ユーザ装置が該受信ウィンドウ及び該ユーザ装置とＬＴＥシステムのｅＮＢとの間のアップリンクのアップリンク送信タイミングに基づいて、発見シーケンスを検出するための時間ウィンドウを決定し、該時間ウィンドウ内で発見シーケンスを検出し、所定の測定により検出結果を報告する。これによって、ユーザ装置が他のユーザ装置の発見シーケンスを検出する複雑さを低減でき、ユーザ装置が他のユーザ装置の発見シーケンスを検出する時間を短縮でき、ユーザ装置が発見シーケンスの検出情報を報告するためのシグナリングを低減できる。
【００６７】
本発明の実施例はＤ２Ｄユーザ装置をさらに提供し、以下の実施例４に述べるように、該Ｄ２Ｄユーザ装置の問題解決の原理は実施例１の方法と類似するため、その具体的な実施は実施例１の方法を参照することができるから、重複する内容の説明が省略される。
【００６８】
＜実施例４＞
本発明の実施例はＤ２Ｄユーザ装置を提供する。図６は該Ｄ２Ｄユーザ装置の構成を示す図である。図６に示すように、該ユーザ装置は、決定部６１及び検出部６２を含む。
【００６９】
決定部６１は、該Ｄ２Ｄユーザ装置とＬＴＥシステムのｅＮＢとの間のアップリンクのアップリンク送信タイミングに基づいて、発見シーケンスを検出するための時間ウィンドウの開始点を決定する。
【００７０】
検出部６２は、決定部６１により決定された時間ウィンドウの開始点で他のＤ２Ｄユーザ装置の発見シーケンスを検出する。
【００７１】
ここで、決定部６１は、該アップリンク送信タイミングを該時間ウィンドウの開始点としてもよいし、該アップリンク送信タイミングの所定の時間オフセットの時間を該時間ウィンドウの開始点としてもよい。
【００７２】
本実施例のＤ２Ｄユーザ装置は、該ユーザ装置とＬＴＥシステムのｅＮＢとの間のアップリンクのアップリンク送信タイミングを基準としてＤ２Ｄ発見シーケンスを検出するための時間ウィンドウを決定することで、ユーザ装置が他のユーザ装置の発見シーケンスを検出する複雑さを低減でき、ユーザ装置が他のユーザ装置の発見シーケンスを検出する時間を短縮できる。
【００７３】
本発明の実施例はＤ２Ｄユーザ装置をさらに提供し、以下の実施例５に述べるように、該Ｄ２Ｄユーザ装置の問題解決の原理は実施例２の方法と類似するため、その具体的な実施は実施例２の方法を参照することができるから、重複する内容の説明が省略される。
【００７４】
＜実施例５＞
本発明の実施例はＤ２Ｄユーザ装置を提供する。図７は該Ｄ２Ｄユーザ装置の構成を示す図である。図７に示すように、該ユーザ装置は、第１の決定部７１及び検出部７２を含む。
【００７５】
第１の決定部７１は、該Ｄ２Ｄユーザ装置とＬＴＥシステムのｅＮＢとの間のアップリンクのアップリンク送信タイミング、及び受信された受信ウィンドウの構成情報に基づいて、発見シーケンスを検出するための時間ウィンドウの開始位置及び終了位置を決定する。
【００７６】
検出部７２は、第１の決定部７１により決定された時間ウィンドウの開始位置及び終了位置で他のＤ２Ｄユーザ装置の発見シーケンスを検出する。
【００７７】
ここで、該受信ウィンドウの構成情報は、該アップリンク送信タイミングを時間ウィンドウの開始位置として、時間軸方向における後方の受信信号の全長であってもよい。また、該受信ウィンドウの構成情報は、該アップリンク送信タイミングを時間ウィンドウの開始位置として、時間軸方向における後方の受信信号の開始点の最大オフセットであってもよい。
【００７８】
ここで、該受信ウィンドウの構成情報は、該ｅＮＢにより上位層シグナリングを介して構成されてもよいし、該ｅＮＢにより物理層の動的シグナリングを介して構成されてもよい。
【００７９】
ここで、受信ウィンドウの構成情報は、ＵＥ固有のもの又はクラスタ固有のものであってもよい。
【００８０】
１つの態様では、該ユーザ装置は、第２の決定部７３及び第１の報告部７４をさらに含む。
【００８１】
第２の決定部７３は、検出部７２が該時間ウィンドウ外で発見シーケンスを検出した場合、検出された発見シーケンスの信号強度が所定の閾値を超えたか否かを決定する。
【００８２】
第１の報告部７４は、検出された発見シーケンスの信号強度が所定の閾値を超えた場合、該検出された発見シーケンスを選択対象とし、検出された全ての発見シーケンスから所定数の信号強度の最も強い発見シーケンスを選択して、ｅＮＢ又は対応するＤ２Ｄユーザ装置に報告する。
【００８３】
この態様では、ユーザ装置は、受信ウィンドウ外で検出された発見シーケンスを選択対象とするか否かを決定するための閾値を設定し、上記発見シーケンスの信号強度が所定の閾値を超えた場合のみ、発見シーケンスを選択対象とする。
【００８４】
もう１つの態様では、該ユーザ装置は、第２の報告部７５をさらに含む。
【００８５】
第２の報告部７５は、検出部７２が該時間ウィンドウの外で発見シーケンスを検出した場合、時間ウィンドウ内で検出された全ての発見シーケンスから所定数の信号強度の最も強い発見シーケンスを選択して、ｅＮＢ又は対応するＤ２Ｄユーザ装置に報告する。
【００８６】
この態様では、ユーザ装置は、受信ウィンドウ外で発見シーケンスを検出した場合、それを選択対象とせず、受信ウィンドウ内で検出された発見シーケンスから、報告が必要な発見シーケンスを選択することで、報告のオーバーヘッドが節約される。
【００８７】
本実施例のＤ２Ｄユーザ装置は、該Ｄ２Ｄユーザ装置とＬＴＥシステムとの間のアップリンクのアップリンク送信タイミング及び受信された受信ウィンドウの構成情報を基準として、Ｄ２Ｄ発見シーケンスを検出するための時間ウィンドウを決定することで、ユーザ装置が他のユーザ装置の発見シーケンスを検出する複雑さを低減でき、ユーザ装置が他のユーザ装置の発見シーケンスを検出する時間を短縮でき、ユーザ装置が発見シーケンスの検出情報を報告するためのオーバーヘッドを低減できる。
【００８８】
本発明の実施例はＬＴＥシステムにおけるｅＮＢをさらに提供し、以下の実施例６に述べるように、該ＬＴＥシステムにおけるｅＮＢの問題解決の原理は実施例３の方法と類似するため、その具体的な実施は実施例３の方法を参照することができるから、重複する内容の説明が省略される。
【００８９】
＜実施例６＞
本発明の実施例はＬＴＥシステムにおけるｅＮＢを提供する。図８は該ｅＮＢの構成を示す図である。図８に示すように、該ｅＮＢは構成部８１を含む。
【００９０】
構成部８１は、ユーザ装置が受信ウィンドウの構成情報及び該ユーザ装置と該ｅＮＢとの間のアップリンクのアップリンク送信タイミングに基づいて発見シーケンスを検出するための時間ウィンドウの開始位置及び終了位置を決定するように、上位層シグナリング又は物理層の動的シグナリングを介して、該ｅＮＢのカバー範囲内のＤ２Ｄ通信を行うユーザ装置のために受信ウィンドウを構成する。
【００９１】
本実施例のｅＮＢはＤ２Ｄ通信を行うユーザ装置のために受信ウィンドウを構成することで、該ユーザ装置は構成された受信ウィンドウ及び該ユーザ装置とＬＴＥシステムのｅＮＢとの間のアップリンクのアップリンク送信タイミングに基づいてＤ２Ｄ発見シーケンスを検出するための時間ウィンドウを決定できる。また、決定された時間ウィンドウで発見シーケンスを検出することで、ユーザ装置が他のユーザ装置の発見シーケンスを検出する複雑さを低減でき、ユーザ装置が他のユーザ装置の発見シーケンスを検出する時間を短縮でき、ユーザ装置が発見シーケンスの検出情報を報告するためのシグナリングを低減できる。
【００９２】
＜実施例７＞
本発明の実施例はＤ２Ｄデータの受信方法をさらに提供する。図９は該方法のフローチャートである。図９に示すように、該方法は以下のステップを含む。
【００９３】
ステップ９０１：ユーザ装置は、予め構成された受信基準時間又は所定の規則に基づいてＤ２Ｄデータの受信タイミングを決定する。
【００９４】
ステップ９０２：該ユーザ装置は、決定されたＤ２Ｄデータの受信タイミングに基づいてＤ２Ｄデータを受信する。
【００９５】
本実施例では、所定の規則は、該ユーザ装置とＬＴＥシステムのｅＮＢとの間のアップリンクのアップリンク送信タイミングを該Ｄ２Ｄデータの受信タイミングとすることであってもよいし、該ユーザ装置とＬＴＥシステムのｅＮＢとのダウンリンクのダウンリンク送信タイミングを該Ｄ２Ｄデータの受信タイミングとすることであってもよい。上記所定の規則に従って、ユーザ装置は、Ｄ２Ｄデータを受信する時間（受信タイミング）を決定し、該決定されたＤ２Ｄデータを受信するための時間でＤ２Ｄデータを受信することで、ユーザ装置の送信／受信タイミングの複雑さを低減できる。
【００９６】
本実施例では、予め構成された受信基準時間は、該ｅＮＢ又は他のＤ２Ｄユーザ装置により上位層シグナリングを介して構成されてもよいし、該ｅＮＢにより物理層の動的シグナリングを介して構成されてもよいし、該ユーザ装置によりグループ又はクラスタ内の他のＤ２Ｄユーザ装置に対して上位層シグナリング又は物理層の動的シグナリングを介して構成されてもよい。
【００９７】
ここで、該予め構成された受信基準時間は、予め定義された基準時間、又は予め定義された基準時間に基づく所定の時間オフセットであってもよい。例えば、該予め定義された基準時間は、該ユーザ装置とｅＮＢとの間のアップリンクのアップリンク送信タイミング、又は該ユーザ装置と前記ｅＮＢとのダウンリンクのダウンリンク受信タイミングであってもよい。
【００９８】
本実施例の方法によりＤ２Ｄデータの受信タイミングを設定することで、ユーザ装置の受信タイミングの複雑さを低減できる。
【００９９】
＜実施例８＞
本発明の実施例はＤ２Ｄデータの受信基準時間の構成方法をさらに提供する。図１０は該方法のフローチャートである。図１０に示すように、該方法は以下のステップを含む。
【０１００】
ステップ１００１：ＬＴＥシステムにおけるｅＮＢは、ユーザ装置が受信基準時間の構成情報に基づいてＤ２Ｄ通信データを受信するための受信時間を決定するように、上位層シグナリング又は物理層の動的シグナリングを介してそのカバー範囲内のＤ２Ｄ通信を行うユーザ装置のために受信基準時間を構成する。
【０１０１】
ここで、該受信基準時間の構成情報は、予め定義された基準時間、又は予め定義された基準時間に基づく所定の時間オフセットであってもよい。ここで、時間オフセットは、例えば所定のステップ長さ、又は所定のいくつかの時間であってもよい。
【０１０２】
ここで、該予め定義された基準時間は、該ユーザ装置と該ｅＮＢとの間のアップリンクのアップリンク送信タイミング、又は該ユーザ装置と該ｅＮＢとのダウンリンクのダウンリンク受信タイミングであってもよい。
【０１０３】
本実施例の方法によりＤ２Ｄ通信を行うユーザ装置のために受信基準時間を構成することで、該ユーザ装置は構成された受信基準時間に基づいてＤ２Ｄデータを受信するための受信タイミングを決定でき、決定された受信タイミングでＤ２Ｄデータを受信できるため、ユーザ装置の受信タイミングの複雑さを低減できる。
【０１０４】
実施例７及び実施例８の方法をより分かりやすくするために、具体的な例を参照しながら実施例７及び実施例８の方法を説明する。
【０１０５】
＜例４＞
この例では、ｅＮＢがユーザ装置のためにＤ２Ｄデータの受信タイミングの受信基準時間を構成する例が示されている。この例では、２つのＤ２Ｄユーザ装置は、ＬＴＥセルラーネットワークのセルの中心に位置し、且つ基地局の両側に位置する。この場合は、Ｄ２Ｄユーザ装置間の距離は、ｅＮＢとＤ２Ｄユーザ装置との間の距離に比べて無視できない。図１１ａ及び図１１Ｂに示すように、Ｄ２Ｄユーザ装置２がＤ２Ｄユーザ装置１にデータを送信し、ユーザ装置２がユーザ装置２とＬＴＥシステムのｅＮＢとの間のアップリンクのアップリンク送信時間ＴＡ２をＤ２Ｄデータの送信タイミングとすると仮定すると、該信号がＤ２Ｄユーザ装置１に到達する時間Ｔ３は、Ｄ２Ｄユーザ装置１とＬＴＥシステムのｅＮＢとのダウンリンクのダウンリンク受信時間と、ＬＴＥシステムのｅＮＢとのダウンリンクのダウンリンク送信時間との間にある。従って、Ｄ２Ｄユーザ装置１の受信時間を、ユーザにより仮定されたＬＴＥシステムのｅＮＢのダウンリンクのダウンリンク送信タイミングと構成してもよく、即ち、ユーザ装置１は推定されたセルラーネットワークにおけるｅＮＢのダウンリンク送信タイミングからＤ２Ｄデータを受信し始める。より具体的には、Ｄ２Ｄユーザ装置１の受信時間は、ユーザ装置がｅＮＢ信号を受信するためのダウンリンク受信タイミングを基準として、一定の時間量だけ前にずらすように定義、構成されてもよく、即ち、ユーザ装置１は、推定されたセルラーネットワークにおけるｅＮＢのダウンリンク受信タイミングよりも前の時間量からＤ２Ｄデータを受信し始め、該時間量はｅＮＢにより構成される。ここで、上記情報は、上記受信基準時間として、ｅＮＢにより上位層シグナリングを介して構成されてもよいし、ｅＮＢにより物理層の動的シグナリングを介して構成されてもよいし、他のユーザ装置により上位層シグナリング又は物理層の動的シグナリングを介して構成されてもよい。
【０１０６】
＜例５＞
この例では、ｅＮＢがユーザ装置のためにＤ２Ｄデータの受信タイミングの受信基準時間を構成する例が示されている。この例では、２つのＤ２Ｄユーザ装置はＬＴＥセルラーネットワークのセルのエッジ部に位置し、この場合は、図１２ａに示すように、ユーザ装置とｅＮＢとの距離は、Ｄ２Ｄユーザ装置間の距離に比べて遥かに大きい。
【０１０７】
ユーザ装置２がユーザ装置１にＤ２Ｄデータを送信し、ユーザ装置２が該ユーザ装置２とＬＴＥシステムのｅＮＢとの間のアップリンクのアップリンク送信時間ＴＡ２を送信タイミングとする場合、図１２ｂに示すように、該信号がＤ２Ｄユーザ装置１に到達する時間Ｔ３は、Ｄ２Ｄユーザ装置１とＬＴＥシステムのｅＮＢとの間のアップリンクのアップリンク送信時間ＴＡ１の後にある。この場合は、受信タイミングを、Ｄ２Ｄユーザ装置１とＬＴＥシステムのｅＮＢとの間のアップリンクのアップリンク送信時間ＴＡ１とするように構成してもよく、即ちユーザ装置１はＴＡ１の開始点からＤ２Ｄデータを受信し始める。
【０１０８】
ユーザ装置２がユーザ装置３にＤ２Ｄデータを送信し、ユーザ装置２がユーザ装置２とＬＴＥシステムのｅＮＢとの間のアップリンクのアップリンク送信時間ＴＡ２を送信タイミングとする場合は、図１２ｃに示すように、該信号がＤ２Ｄユーザ装置３に到達する時間Ｔ３は、Ｄ２Ｄユーザ装置２とＬＴＥシステムのｅＮＢとの間のアップリンクのアップリンク送信時間ＴＡ２の後にある。この場合は、Ｄ２Ｄユーザ装置３の受信タイミングを、Ｄ２Ｄユーザ装置２とＬＴＥシステムのｅＮＢとの間のアップリンクのアップリンク送信時間ＴＡ２とするように構成してもよく、即ちユーザ装置３はＴＡ２からＤ２Ｄデータを受信し始める。或いは、Ｄ２Ｄユーザ装置３の受信タイミングは、ユーザ装置３とＬＴＥシステムのｅＮＢとの間のアップリンクのアップリンクタイミングＴＡ３を基準として、一定の時間量だけ遅延してもよく、即ちユーザ装置３は、ＴＡ３の開始点から一定の時間量だけ遅延したタイミングからＤ２Ｄデータを受信し始め、該時間量はｅＮＢにより構成される。
【０１０９】
図１２ｂ及び図１２ｃの例から分かるように、異なる場合には、合理的な受信タイミングは異なり、ｅＮＢによりＤ２Ｄユーザ装置のために構成されてもよい。
【０１１０】
この例では、上記の構成された時間は、Ｄ２Ｄ送信ユーザ装置により、Ｄ２Ｄ受信ユーザ装置のために構成されてもよい。例えば、図１２ｂの場合では、Ｄ２Ｄ送信ユーザ装置２は、Ｄ２Ｄ受信ユーザ装置１のために、ユーザ装置１とＬＴＥシステムのｅＮＢとの間のアップリンクのアップリンク送信タイミングＴＡ１を基準として、一定の時間量だけ遅延したタイミングを受信タイミングとするように構成してもよい。
【０１１１】
例４及び例５の説明から分かるように、実施例７及び実施例８の方法によれば、ｅＮＢ又はＤ２Ｄユーザ装置は、他のＤ２Ｄユーザ装置のために、受信タイミングを決定するための受信基準時間を構成し、ユーザ装置は該受信基準時間に基づいて受信タイミングを決定し、決定された受信タイミングでＤ２Ｄデータを受信することで、ユーザ装置の送信タイミング及び受信タイミングの複雑さを低減できる。
【０１１２】
本発明の実施例はＤ２Ｄユーザ装置をさらに提供し、以下の実施例９に述べるように、該Ｄ２Ｄユーザ装置の問題解決の原理は実施例７の方法と類似するため、その具体的な実施は実施例７の方法を参照することができるから、重複する内容の説明が省略される。
【０１１３】
＜実施例９＞
本発明の実施例はＤ２Ｄユーザ装置を提供する。図１３は該ユーザ装置の構成を示す図である。図１３に示すように、該ユーザ装置は決定部１３１及び受信部１３２を含む。
【０１１４】
決定部１３１は、予め構成された受信基準時間又は所定の規則に基づいてＤ２Ｄデータの受信タイミングを決定する。
【０１１５】
受信部１３２は、決定部１３１により決定されたＤ２Ｄデータの受信タイミングに基づいてＤ２Ｄデータを受信する。
【０１１６】
ここで、該所定の規則は、該ユーザ装置とＬＴＥシステムのｅＮＢとの間のアップリンクのアップリンク送信タイミングを該Ｄ２Ｄデータの受信タイミングとすることであってもよいし、該ユーザ装置とＬＴＥシステムのｅＮＢとのダウンリンクのダウンリンク送信タイミングを該Ｄ２Ｄデータの受信タイミングとすることであってもよい。
【０１１７】
ここで、該予め構成された受信基準時間は、該ｅＮＢ又は他のＤ２Ｄユーザ装置により上位層シグナリングを介して構成されてもよいし、該ｅＮＢにより物理層の動的シグナリングを介して構成されてもよいし、該予め構成された受信基準時間は、ユーザ装置によりグループ又はクラスタ内の他のＤ２Ｄユーザ装置に対して上位層シグナリング又は物理層の動的シグナリングを介して構成されてもよい。
【０１１８】
ここで、該予め構成された受信基準時間は、予め定義された基準時間、又は予め定義された基準時間に基づく所定の時間オフセットであってもよい。
【０１１９】
ここで、該予め定義された基準時間は、該ユーザ装置と該ｅＮＢとの間のアップリンクのアップリンク送信タイミング、又は該ユーザ装置と該ｅＮＢとのダウンリンクのダウンリンク受信タイミングであってもよい。
【０１２０】
本実施例のＤ２Ｄユーザ装置は、構成された受信基準時間又は所定の規則に基づいて受信タイミングを決定し、決定された受信タイミングでＤ２Ｄデータを受信することで、Ｄ２Ｄデータの受信プロセスを簡単化でき、ユーザ装置の送信タイミング及び受信タイミングの複雑さを低減できる。
【０１２１】
本発明の実施例はＬＴＥシステムにおけるｅＮＢをさらに提供し、以下の実施例１０に述べるように、該ＬＴＥシステムにおけるｅＮＢの問題解決の原理は実施例８の方法と類似するため、その具体的な実施は実施例８の方法を参照することができるから、重複する内容の説明が省略される。
【０１２２】
＜実施例１０＞
本発明の実施例はＬＴＥシステムにおけるｅＮＢを提供する。図１４は該ｅＮＢの構成を示す図である。図１４に示すように、該ｅＮＢは構成部１４１を含む。
【０１２３】
構成部１４１は、ユーザ装置が受信基準時間の構成情報に基づいてＤ２Ｄ通信データを受信するための受信時間を決定するように、上位層シグナリング又は物理層の動的シグナリングを介して該ｅＮＢのカバー範囲内のＤ２Ｄ通信を行うユーザ装置のために受信基準時間を構成する。
【０１２４】
ここで、該受信基準時間の構成情報は、予め定義された基準時間、又は予め定義された基準時間に基づく所定の時間オフセットであってもよい。
【０１２５】
ここで、該予め定義された基準時間は、該ユーザ装置と該ｅＮＢとの間のアップリンクのアップリンク送信タイミング、又は該ユーザ装置と該ｅＮＢとのダウンリンクのダウンリンク受信タイミングであってもよい。
【０１２６】
本実施例のｅＮＢは、ユーザ装置のために受信基準時間を構成し、ユーザ装置は該受信基準時間に基づいてその受信タイミングを決定し、決定された受信タイミングでＤ２Ｄデータを受信することで、ユーザ装置の送信タイミング及び受信タイミングの複雑さを低減できる。
【０１２７】
本発明の実施例は、少なくとも１つの実施例４、実施例５又は実施例９のユーザ装置を含み、或いは少なくとも１つの実施例４、実施例５又は実施例９のユーザ装置及び少なくとも１つの実施例６又は実施例１０に記載のｅＮＢを含む、通信システムをさらに提供する。
【０１２８】
本発明の実施例は、端末装置においてプログラムを実行する際に、コンピュータに、実施例１若しくは２に記載のＤ２Ｄ通信における発見シーケンスの検出方法、又は実施例７に記載のＤ２Ｄデータの受信方法を該端末装置において実行させる、コンピュータ読み取り可能なプログラムをさらに提供する。
【０１２９】
本発明の実施例は、コンピュータに、実施例１若しくは２に記載のＤ２Ｄ通信における発見シーケンスの検出方法、又は実施例７に記載のＤ２Ｄデータの受信方法を端末装置において実行させるためのコンピュータ読み取り可能なプログラムを記憶する、記憶媒体をさらに提供する。
【０１３０】
本発明の実施例は、基地局においてプログラムを実行する際に、コンピュータに、実施例３に記載のＤ２Ｄ通信における受信ウィンドウの構成方法、又は実施例８に記載のＤ２Ｄデータの受信基準時間の構成方法を該基地局において実行させる、コンピュータ読み取り可能なプログラムをさらに提供する。
【０１３１】
本発明の実施例は、コンピュータに、実施例３に記載のＤ２Ｄ通信における受信ウィンドウの構成方法、又は実施例８に記載のＤ２Ｄデータの受信基準時間の構成方法を基地局において実行させるためのコンピュータ読み取り可能なプログラムを記憶する、記憶媒体をさらに提供する。
【０１３２】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０１３３】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2016509455.tif 000003
【図２】
2016509455.tif 000004
【図３】
2016509455.tif 000005
【図４】
2016509455.tif 000006
【図５】
2016509455.tif 000007
【図６】
2016509455.tif 000008
【図７】
2016509455.tif 000009
【図８】
2016509455.tif 000010
【図９】
2016509455.tif 000011
【図１０】
2016509455.tif 000012
【図１１】
2016509455.tif 000013
【図１２】
2016509455.tif 000014
【図１３】
2016509455.tif 000015
【図１４】
2016509455.tif 000016
【国際調査報告】
2016509455.tif 000017
2016509455.tif 000018
2016509455.tif 000019
2016509455.tif 000020